(57)【要約】【課題】落下試験の衝撃でティースの噛合状態が解除されないようにすること。【解決手段】光ピックアップ５がトラバースシャーシ上のガイドロッド１５にスライド可能に支持されたスライドベース５ａを有し、ガイドロッド１５と平行するリードスクリュ１６と該リードスクリュ１６を回転させるための送りモータとがトラバースシャーシに配置され、スライドベース５ａに設けたティース１８がリードスクリュ１６に噛合されており、前記ティース１８が、合成樹脂材からなり、スライドベース５ａに止着した基枠部３４と、該基枠部３４に弾性変位可能な弾性片３５を介して一体形成されてリードスクリュ１６に跨がって係合する係合枠３６とを有し、該係合枠３６に一体突設した歯部４５がリードスクリュ１６に噛合され、トレイ１の下面に一体突設されて係合枠３６のスライド範囲にわたって該係合枠３６の上面に接近する下向き突条３７ａが設けられている。【選択図】        図６
2014022006.tif 000002
【特許請求の範囲】
【請求項１】
ディスクに記録されている情報を読み取るディスク装置であって、
ディスク載置用トレイを移動可能に支持するローダーシャーシ内に、ターンテーブルおよび光ピックアップを搭載したトラバースシャーシと、
前記光ピックアップを前記トラバースシャーシ上のガイドロッドにスライド可能に支持したスライドベースと、
前記ガイドロッドと平行に配置されたリードスクリュおよび当該リードスクリュを回転させる送りモータと、
前記スライドベースに止着した基枠部に弾性変位可能な弾性片を介して形成されて、前記リードスクリュに跨がって係合する係合枠を有するティースとを備え、
前記係合枠および前記ディスク載置用トレイの少なくとも一方に、当該係合枠の浮き上がりを阻止する浮き上がり阻止手段が設けられていることを特徴とする、ディスク装置。
【請求項２】
前記浮き上がり阻止手段は、前記係合枠のスライド範囲にわたって、当該係合枠の上面に接近するように前記ディスク載置用トレイの下面から下向き突条に形成されていることを特徴とする、請求項１に記載のディスク装置。
【請求項３】
前記浮き上がり阻止手段は、前記ディスク載置用トレイの下面に接近するように前記係合枠の上面から上向き突条に形成されていることを特徴する、請求項１に記載のディスク装置。
【請求項４】
前記リードスクリュの軸心に沿ってティースの基枠部に対向する一対のストッパがトラバースシャーシに設けられ、その一対のストッパに対向してティースの基枠部に一対の当たり部が設けられ、その一対の当たり部の両方またはその一方にスリットを形成することにより、そのスリットを形成した当たり部が弾性変位可能とされていることを特徴する、請求項１〜３のいずれかに記載のディスク装置。
【請求項５】
前記ティースの基枠部と係合枠との間にばねが介在されていることを特徴とする、請求項１〜４のいずれかに記載のディスク装置。
【発明の詳細な説明】
【技術分野】
【０００１】
本発明は、ディスク装置（例えばＢｌｕ−ｒａｙ  Ｄｉｓｃ式のレコーダまたはプレーヤ）に関し、特に、ハンドリングミスなどを想定した落下試験の衝撃でティースの歯部とリードスクリュとの噛合状態が解除されないようにしたものである。
【背景技術】
【０００２】
従来、ディスク装置（例えばＢｌｕ−ｒａｙ  Ｄｉｓｃ式のレコーダまたはプレーヤ）として図１３〜図１６に示すものがあり、これは、ディスクＤ載置用トレイ１を移動可能の支持するローダーシャーシ２が設けられ、ターンテーブル３付きスピンドルモータ４及び対物レンズＯＬ付き光ピックアップ５を搭載したシャーシ本体６Ａと、合成樹脂製トラバースホルダ６Ｂとからなるトラバースシャーシ６が前記ローダーシャーシ２内に配置され、前記トラバースホルダ６Ｂが、ホルダ本体７と、該ホルダ本体７の両端から平行して延びる一対のアーム８と、その一対アーム８の先端外周面に一体突設された一対の支軸９とを有し、その一対の支軸９がローダーシャーシ２の両内側面２ａに凹設した枢支孔１０に回転可能に挿入されている。
【０００３】
前記シャーシ本体６Ａの後部がゴムからなる後側弾性体１２を介してローダーシャーシ２の後部に上下動ａ，ｂ可能に連結されると共に、該シャーシ本体６Ａの前部がゴムからなる前側弾性体１３を介してホルダ本体７に移動可能に連結されている。
【０００４】
前記光ピックアップ５がシャーシ本体６Ａ上のガイドロッド１５にスライド可能に支持されたスライドベース５ａを有し、ガイドロッド１５と平行するリードスクリュ１６と該リードスクリュ１６を回転させるための送りモータ１７とがシャーシ本体６Ａに配置され、スライドベース５ａに設けたティース１８がリードスクリュ１６に噛合されている。
【０００５】
図１３及び図１４に示すように、ローダーシャーシ２の前部にカムスライダ２０が矢印ｃ，ｄ方向にスライド可能に配置され、該カムスライダ２０とホルダ本体７とを連動連結するカム機構２１が設けられ、該カム機構２１が、カムスライダ２０の垂直部に形成したカム溝２１ａと、前記ホルダ本体７の前面に一体突設されてカム溝２１ａに嵌入するカムピン２１ｂとからなり、カムスライダ２０の一端に一体形成したカムラック２０ａがローダーシャーシ２の前部に配置した矢印ｅ，ｆ方向に回転可能な駆動ピニオン２２に噛合可能に形成されている。なお、図１４中、２３はローダーシャーシ２に架設した横桁２４の中央部に一定範囲内昇降可能に配置したクランパ、図１３中、２５はカムスライダ２０上に突設した操作ピンであって、トレイ１の下面のガイド溝１ａ（図３参照）に係合して該トレイ１をわずかに移動させるものである。
【０００６】
動作原理を説明すると、図１４の実線はディスククランプ状態を示すものであって、ディスクＤをターンテーブル３とクランパ２３とでクランプし、スピンドルモータ４によりターンテーブル３を介してディスクＤを高速回転させ、送りモータ１７を駆動してリードスクリュ１６を正逆回転させることにより、ティース１８を介して光ピックアップ５をディスクＤの最内周と最外周との間で該ディスクＤの半径方向に沿ってスライドさせ、該光ピックアップ５の対物レンズＯＬからディスクＤにレーザ光を投射し、その反射光に基づいてディスクＤに記録されている情報を読み取る。
【０００７】
トレイオープン時には、図１３及び図１４に二点鎖線で示すように、光ピックアップ５をディスクＤの最内周までスライドさせて停止させ、駆動ピニオン２２を矢印ｆ方向に回転させることにより、カムラック２０ａを介してカムスライダ２０を矢印ｃ方向にスライドさせ、カム機構２１及びホルダ本体７を介してシャーシ本体６Ａを下動ｂさせて傾斜姿勢とし、ディスクＤをターンテーブル３からトレイ１に移し替える。
【０００８】
続いて、駆動ピニオン２２とカムラック２０ａとの噛合状態が解除され、カムスライダ２０の操作ピン２５によりガイド溝１ａを介してトレイ１がわずかに移動されて該トレイ１の裏面に形成したラック１ｂ（図３参照）が駆動ピニオン２２に噛合され、該駆動ピニオン２２の矢印ｆ方向への回転に伴ってトレイ１がローダーシャーシ２から押し出され、これにより、オープン状態になったトレイ１上からディスクＤを取り外したり新たなディスクＤを載置する。トレイイン時には上記とは逆の手順で操作が行われる。
【０００９】
従来、前記ティース１８として特許文献１に記載したものがある。これは、図１６に示すように、スライドベース５ａに止着した基枠部２７と、該基枠部２７に弾性変位可能な弾性片２８を介して一体形成されてリードスクリュ１６の側面に当接する当接片２９とを有し、該当接片２９の中央に一体突設した歯部３０がリードスクリュ１６に噛合され、その当接片２９の両端に規制部３１が設けられ、前記基枠部２７と当接片２９との間にばね３２が介在されている。
【先行技術文献】
【特許文献】
【００１０】
【特許文献１】特開２０１１−２２２０９９号公報
【発明の概要】
【発明が解決しようとする課題】
【００１１】
上記従来の構成では、ユーザによるハンドリングミスなどを想定した落下試験を行ったときに、リードスクリュ１６の軸心Ｏとは直交する上下方向Ｚａ，Ｚｂにかかる衝撃力に対しては規制部３１によりある程度の規制を行うことができるが、その上下方向Ｚａ，Ｚｂに沿う衝撃力が過大なときには規制部３１がリードスクリュ１６に乗り上がって歯部３０とリードスクリュ１６との噛合状態が解除されるおそれがあり、また、リードスクリュ１６の軸心Ｏとは直交する水平方向Ｘａ，Ｘｂにかかる衝撃力のうち、Ｘｂ方向にかかる衝撃力を規制するものがないため、その水平方向Ｘｂにかかる衝撃力で弾性片２８及びばね３２が弾性変位され、ティース１８の歯部３０とリードスクリュ１６との噛合状態が解除されやすいという難点がある。
【００１２】
本発明は、上記従来の難点に鑑み、ハンドリングミスなどを想定した落下試験の衝撃でティースの歯部とリードスクリュとの噛合状態が解除されないようにしたディスク装置を提供することを目的としている。
【課題を解決するための手段】
【００１３】
上記目的を達成するため、本発明のディスク装置は、ディスクに記録されている情報を読み取るディスク装置であって、ディスク載置用トレイを移動可能に支持するローダーシャーシ内に、ターンテーブルおよび光ピックアップを搭載したトラバースシャーシと、光ピックアップをトラバースシャーシ上のガイドロッドにスライド可能に支持したスライドベースと、ガイドロッドと平行に配置されたリードスクリュおよび当該リードスクリュを回転させる送りモータと、スライドベースに止着した基枠部に弾性変位可能な弾性片を介して形成されて、リードスクリュに跨がって係合する係合枠を有するティースとを備え、係合枠およびディスク載置用トレイの少なくとも一方に、当該係合枠の浮き上がりを阻止する浮き上がり阻止手段が設けられていることを特徴とする
【００１４】
さらに、好ましい浮き上がり阻止手段は、係合枠のスライド範囲にわたって、当該係合枠の上面に接近するようにディスク載置用トレイの下面から下向き突条に形成されていることを特徴とする。
【００１５】
または、好ましい浮き上がり阻止手段は、ディスク載置用トレイの下面に接近するように係合枠の上面から上向き突条に形成されていることを特徴する。
【００１６】
さらに、リードスクリュの軸心に沿ってティースの基枠部に対向する一対のストッパがトラバースシャーシに設けられ、その一対のストッパに対向してティースの基枠部に一対の当たり部が設けられ、その一対の当たり部の両方またはその一方にスリットを形成することにより、そのスリットを形成した当たり部が弾性変位可能とされていることが好ましい。
【００１７】
また、ティースの基枠部と係合枠との間にばねが介在されていることが好ましい。
【発明の効果】
【００１８】
本発明のディスク装置によれば、ユーザのハンドリングミスなどを想定した落下試験を行ったときに、リードスクリュの軸心とは直交する水平方向にかかる衝撃力がリードスクリュに跨がる係合枠の両側板部で規制され、また、リードスクリュの軸心とは直交する上下方向にかかる衝撃力のうち、その下方向にかかる衝撃力がリードスクリュに跨がる係合枠の天板部で規制され、その上方向にかかる衝撃力により係合枠が浮き上がろうとしても、それを浮き上がり阻止手段で阻止するので、ティースの歯部とリードスクリュとの噛合状態を確実に維持することができる。
【００１９】
さらに、浮き上がり阻止手段が、係合枠のスライド範囲にわたって、当該係合枠の上面に接近するようにディスク載置用トレイの下面から下向き突条に形成されることによって、落下試験によりリードスクリュの軸心とは直交する上下方向にかかる衝撃力のうち、その上方向にかかる衝撃力により係合枠が浮き上がろうとしても、その浮き上がりをトレイの下面に一体突設した下向き突条で阻止するので、ティースの歯部とリードスクリュとの噛合状態を確実に維持することができる。
【００２０】
または、好ましい浮き上がり阻止手段が、ディスク載置用トレイの下面に接近するように係合枠の上面から上向き突条に形成されることによって、落下試験によりリードスクリュの軸心とは直交する上下方向にかかる衝撃力のうち、その上方向にかかる衝撃力により係合枠が浮き上がろうとしても、その浮き上がりを係合枠の上面に一体突設した上向き突条で阻止するので、ティースの歯部とリードスクリュとの噛合状態を確実に維持することができる。
【００２１】
さらに、リードスクリュの軸心に沿ってティースの基枠部に対向する一対のストッパがトラバースシャーシに設けられ、その一対のストッパに対向してティースの基枠部に一対の当たり部が設けられることによって、落下試験によりリードスクリュの軸心と平行する水平方向に衝撃力がかかって、光ピックアップがガイドロッドに沿って衝撃的にスライドされると、ティースの基枠部に設けた当たり部がストッパに当たってその衝撃を緩和することができ、特に、スリットを形成した当たり部では、その当たり部が弾性変位して衝撃を一層緩和することができる。
【００２２】
さらに、ティースの基枠部と係合枠との間にばねが介在されることによって、ばねによりティースの歯部をリードスクリュの螺旋溝内に押し込んでいるので、ティースの歯部とリードスクリュとの噛合状態を一層確実に維持することができる。
【図面の簡単な説明】
【００２３】
【図１】本発明の第１の実施の形態であるディスク装置の平面図である。
【図２】図１のＡ−Ａ矢視図である。
【図３】同トレイの下面側斜視図である。
【図４】同要部の拡大平面図である。
【図５】同要部の拡大側面図である。
【図６】同要部の拡大横断面図である。
【図７】同要部の拡大斜視図である。
【図８】同要部の拡大分解斜視図である。
【図９】（ａ）は同要部の拡大裏面側斜視図、（ｂ）はＢ−Ｂ矢視図である。
【図１０】本発明の第２の実施の形態であるディスク装置における要部の拡大側面図である。
【図１１】同要部の拡大横断面図である。
【図１２】本発明の第３の実施の形態であるディスク装置における要部の拡大横断面図である。
【図１３】従来例を示す平面図である。
【図１４】同縦断面図である。
【図１５】図１３のＣ−Ｃ矢視図である。
【図１６】同要部の拡大横断面図である。
【発明を実施するための形態】
【００２４】
図１〜図９は本発明の第１の実施の形態であるディスク装置を示すものであって、ティース１８が、ポリアセタール（ＰＯＭ）などの合成樹脂材からなり、基枠部３４と、該基枠部３４に弾性変位可能な弾性片３５を介して一体形成されてリードスクリュ１６に跨がって係合する係合枠３６とを有し、該係合枠３６の浮き上がりを阻止する浮き上がり阻止手段３７が設けられている。上記以外の構成は図１３〜図１５に示す構成とほぼ同じであるから、同一部分に同一符号を付してその説明を省略する。
【００２５】
図７〜図９に示すように、前記基枠部３４は、垂直部３４ａ及び該垂直部３４ａの上縁から水平に折れ曲がる水平部３４ｂを有し、該水平部３４ｂに貫設した一対の位置決め孔３９をスライドベース５ａに一体突設した一対の位置決めピン４０に嵌合させ、その水平部３４ｂに貫設したねじ挿通孔４１を通ってスライドベース５ａのねじ孔４２にねじ４３をねじ込むことにより、スライドベース５ａの所定位置に止着されている。
【００２６】
前記係合枠３６は、天板部３６ａと、該天板部３６ａの両縁から下方に延びる一対の側板部３６ｂ，３６ｃとにより門型に形成され、両側板部３６ｂ，３６ｃ間の間隔ｈがリードスクリュ１６の外径ｄと同一またはわずかに大きく設定され（図８参照）、その内側の側板部３６ｂの内周面に一体突設した歯部４５がリードスクリュ１６の螺旋溝内に嵌入されている。図６に示すように、外側の側板部３６ｃの下面を係合枠３６内に向けて斜め上方にカットして傾斜面３８を形成しており、その傾斜面３８をガイドにして係合枠３６をリードスクリュ１６に容易に係合させることができる。
【００２７】
前記弾性片３５は、略Ｕ字状に弯曲されて所定間隔をおいて一対設けられ、その一対の弾性片３５の両端が前記係合枠３６と基枠部３４から突出して該係合枠３６に所定間隔をおいて対向する支持枠４６とに一体形成されている。
【００２８】
図３、図５及び図６に示すように、前記浮き上がり阻止手段３７は、トレイ１の下面に一体突設されて係合枠３６のスライド範囲α（図５参照）にわたって該係合枠３６の上面に接近する下向き突条３７ａからなっている。
【００２９】
動作原理は従来とほぼ同じであるから、その説明を省略する。
【００３０】
上記構成によれば、ユーザのハンドリングミスなどを想定した落下試験を行ったときに、リードスクリュ１６の軸心Ｏとは直交する水平方向Ｘａ，Ｘｂにかかる衝撃力がリードスクリュ１６に跨がる係合枠３６の両側板部３６ｂ，３６ｃで規制され、また、リードスクリュ１６の軸心Ｏと直交する上下方向Ｚａ，Ｚｂにかかる衝撃力のうち、その下方向Ｚｂにかかる衝撃力がリードスクリュ１６に跨がる係合枠３６の天板部３６ａで規制され、その上方向Ｚａにかかる衝撃力により係合枠３６が浮き上がろうとしても、図６に仮想線で示すように、係合枠３６の上面が下向き突条３７ａの下縁に当たって、その浮き上がりを阻止するので、ティース１８の歯部４５とリードスクリュ１６との噛合状態を確実に維持することができる。
【００３１】
図７〜図９に示すように、リードスクリュ１６の軸心Ｏに沿ってティース１８の基枠部３４に対向してシャーシ本体６Ａから折り曲げたガイドロッド固定枠４８と該シャーシ本体６Ａから切り出した突出片４９とのティース対向面がストッパ４８ａ，４９ａとされ、該各ストッパ４８ａ，４９ａに対向して基枠部３４に当たり部５０，５１が一体突設され、その両当たり部５０，５１のうち、ディスクＤの最外周側でスライドストロークが大きい当たり部５１を突出片４９に向けて長尺状に延ばすと共に、その長尺状当たり部５１の先端近傍にスリット５２を形成することにより、そのスリット５２を形成した長尺状当たり部５１が弾性変位可能とされている。
【００３２】
上記構成によれば、落下試験によりリードスクリュ１６の軸心Ｏと平行する水平方向Ｙａ，Ｙｂに衝撃力がかかって、光ピックアップ５がガイドロッド１５に沿って衝撃的にスライドされると、ティース１８の基枠部３４に設けた当たり部５０，５１がストッパ４８ａ，４９ａに当たってその衝撃を緩和することができ、特に、光ピックアップ５がガイドロッド１５に沿ってディスクＤの最内周側から最外周側に大きくスライドされるので、そのディスクＤの最外周側に対応する長尺状当たり部５１にスリット５２が形成されており、そのスリット５２付き長尺状当たり部５１を弾性変位させて衝撃を一層緩和することができる。なお、短尺状当たり部５０にもスリット５２を形成して弾性変位可能としてもよい。
【００３３】
第１の実施の形態では、浮き上がり阻止手段３７としてトレイ１の下面に一体突設された下向き突条３７ａを用いた例を示したが、図１０及び図１１に示すように、浮き上がり阻止手段３７として、係合枠３６の上面に一体突設されてトレイ１の下面に接近する上向き突条３７ｂを用いてもよい（第２の実施の形態）。
【００３４】
上記構成によれば、第１の実施の形態と同様の効果を得ることができ、特に、リードスクリュ１６の軸心Ｏと直交する上下方向Ｚａ，Ｚｂにかかる衝撃力のうち、その上方向Ｚａにかかる衝撃力により係合枠３６が浮き上がろうとしても、図１１に仮想線で示すように、上向き突条３７ｂの上端面がトレイ１の下面に当たって、その浮き上がりを阻止するので、ティース１８の歯部４５とリードスクリュ１６との噛合状態を確実に維持することができる。なお、係合枠３６とトレイ１との両方に、浮き上がり阻止手段３７である下向き突条３７ａ及び上向き突条３７ｂを用いてもよい。
【００３５】
図１２は本発明の第３の実施の形態を示すものであって、ティース１８の基枠部３４と係合枠３６との間にばね５４が介在されている。上記以外の構成は第１、第２の実施の形態と同じであるので、その説明を省略する。
【００３６】
上記構成によれば、ばね５４によりティース１８の歯部４５をリードスクリュ１６の螺旋溝内に押し込んでいるので、ティース１８の歯部４５とリードスクリュ１６との噛合状態を一層確実に維持することができる。
【符号の説明】
【００３７】
１              トレイ
２              ローダーシャーシ
３              ターンテーブル
５              光ピックアップ
５ａ            スライドベース
６              トラバースシャーシ
１５            ガイドロッド
１６            リードスクリュ
１７            送りモータ
１８            ティース
３４            ティースの基枠部
３５            ティースの弾性片
３６            ティースの係合枠
３７            浮き上がり阻止手段
３７ａ          下向き突条
３７ｂ          上向き突条
４５            ティースの歯部
４８ａ，４８ｂ  ストッパ
５０，５１      当たり部
５２            スリット
５４            ばね
【図１】
2014022006.tif 000003
【図２】
2014022006.tif 000004
【図３】
2014022006.tif 000005
【図４】
2014022006.tif 000006
【図５】
2014022006.tif 000007
【図６】
2014022006.tif 000008
【図７】
2014022006.tif 000009
【図８】
2014022006.tif 000010
【図９】
2014022006.tif 000011
【図１０】
2014022006.tif 000012
【図１１】
2014022006.tif 000013
【図１２】
2014022006.tif 000014
【図１３】
2014022006.tif 000015
【図１４】
2014022006.tif 000016
【図１５】
2014022006.tif 000017
【図１６】
2014022006.tif 000018